(57)【要約】      （修正有）【課題】耳朶に貼り付けた場合に剥がれにくく、かつ、剥がす場合に痛みを伴わない耳朶用装飾具を提供する。【解決手段】耳朶用装飾具１０は、耳朶に貼り付けて使用する耳朶用装飾具であって、耳朶に貼着される第１のテープ１２と、耳朶を装飾する少なくとも１つの装飾片１５が付着される第２のテープ１４と、を備え、第１のテープ１２は、中粘着性の皮膚貼付用両面粘着テープであることを特徴とする。第２のテープ１４は、高粘着性の両面粘着テープであることが好ましい。【選択図】図１
0003199149.tif 000002
【実用新案登録請求の範囲】
【請求項１】
耳朶に貼り付けて使用する耳朶用装飾具であって、
前記耳朶に貼着される第１のテープと、
前記耳朶を装飾する少なくとも１つの装飾片が付着される第２のテープと、
を備え、
前記第１のテープは、中粘着性の皮膚貼付用両面粘着テープであることを特徴とする耳朶用装飾具。
【請求項２】
請求項１に記載の耳朶用装飾具において、
前記第１のテープと前記第２のテープとの間に挟持される金属プレート部と、
前記金属プレート部から吊り下げられる装飾部と、
を備えることを特徴とする耳朶用装飾具。
【請求項３】
請求項１に記載の耳朶用装飾具において、
前記第１のテープの面のうち前記耳朶に貼着される面と反対側の面と、前記第２のテープの面のうち前記装飾片が付着される面と反対側の面とが直接接着されることを特徴とする耳朶用装飾具。
【請求項４】
請求項１から請求項３のいずれか１項に記載の耳朶用装飾具において、
前記第２のテープは、高粘着性の両面粘着テープであることを特徴とする耳朶用装飾具。
【考案の詳細な説明】
【技術分野】
【０００１】
本考案は、耳朶用装飾具に関する。
【背景技術】
【０００２】
従来、人の皮膚に直接貼り付けるボディジュエリーと呼ばれる人体用装飾具の制作や販売等が行われている。例えば、特許文献１には、人物の皮膚に無害のゲル状の材料からなり、粘着面が皮膚に対して引き剥がし可能な貼面となる粘着性ゲルフィルムと、この粘着性ゲルフィルムと接着する樹脂基板と、樹脂基板に接着され複数の装飾片から形成される装飾層とを備える装飾具が開示されている。
【先行技術文献】
【特許文献】
【０００３】
【特許文献１】特許第５３００９３３号公報
【考案の概要】
【考案が解決しようとする課題】
【０００４】
上記特許文献１の装飾具は人物の皮膚に貼り付けることができ、例えば、大きさを極めて小さくすることで耳朶に貼り付けることもできる。しかし、耳朶は、油分が多い部位であり、粘着性が低いゲルフィルムを用いて取り付けるとすぐに剥がれてしまうという課題がある。また、粘着性が高い材質を用いた装飾具の場合、耳朶から取り外すのに力を要し、場合によっては痛みを伴ってしまう虞がある。
【０００５】
本考案の目的は、耳朶に貼り付けた場合に剥がれにくく、かつ、剥がす場合に痛みを伴わない耳朶用装飾具を提供することである。
【課題を解決するための手段】
【０００６】
本考案に係る耳朶用装飾具は、耳朶に貼り付けて使用する耳朶用装飾具であって、前記耳朶に貼着される第１のテープと、前記耳朶を装飾する少なくとも１つの装飾片が付着される第２のテープと、を備え、前記第１のテープは、中粘着性の皮膚貼付用両面粘着テープであることを特徴とする。
【０００７】
また、本考案に係る耳朶用装飾具において、前記第１のテープと前記第２のテープとの間に挟持される金属プレート部と、前記金属プレート部から吊り下げられる装飾部と、を備えることが好ましい。
【０００８】
また、本考案に係る耳朶用装飾具において、前記第１のテープの面のうち前記耳朶に貼着される面と反対側の面と、前記第２のテープの面のうち前記装飾片が付着される面と反対側の面とが直接接着されることが好ましい。
【０００９】
また、本考案に係る耳朶用装飾具において、前記第２のテープは、高粘着性の両面粘着テープであることが好ましい。
【考案の効果】
【００１０】
本考案によれば、中粘着性の皮膚貼付用両面粘着テープを用いて耳朶用装飾具を耳朶に貼り付けることができる。これにより、耳朶用装飾具を耳朶に貼り付けた場合であっても、剥がれにくく、かつ、剥がす場合に痛みを伴わないという利点がある。
【図面の簡単な説明】
【００１１】
【図１】本考案に係る実施形態の耳朶用装飾具の正面図である。
【図２】本考案に係る実施形態の耳朶用装飾具の側面図である。
【図３】本考案に係る実施形態の耳朶用装飾具の第１のテープについて取り換え用シートを用いて取り換える様子を示す図である。
【図４】本考案に係る実施形態の耳朶用装飾具の変形例の正面図である。
【図５】本考案に係る実施形態の耳朶用装飾具の変形例の側面図である。
【考案を実施するための形態】
【００１２】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、耳朶用装飾具１０の正面図である。図２は、耳朶用装飾具１０の側面図である。耳朶用装飾具１０は、第１のテープ１２と、第２のテープ１４と、金属プレート部１６と、装飾部１８とを備える。
【００１４】
第１のテープ１２は、耳朶に貼着される面２０と、面２０の反対側の面２２とを備える。第１のテープ１２は、アクリル系の粘着剤を含む皮膚貼付用両面テープである。第１のテープ１２の厚みは、０．０８〜０．２０ｍｍであることが好適であり、０．１２ｍｍであることがより好ましい。第１のテープ１２の接着力は、対ポリプロピレン板で測定した値が３．４Ｎ／ｃｍ〜５．４Ｎ／ｃｍの中粘着タイプのテープであることが好適であり、４．４Ｎ／ｃｍの中粘着タイプのテープであることがより好ましい。第１のテープ１２の形状は、直径２ｍｍ〜１０ｍｍの円形であることが好適であり、直径７ｍｍの円形であることがより好ましいが、円形以外の形状、例えば、楕円形であってもよい。第１のテープ１２の色は、無色透明である。
【００１５】
第２のテープ１４は、装飾片１５が付着される面２４と反対側の面２６とを備える。第２のテープ１４は、アクリル系の粘着剤を含む皮膚貼付用両面テープである。第２のテープ１２の厚みは、０．０８〜０．３３ｍｍであることが好適であり、０．１１ｍｍであることがより好ましい。第１のテープ１２の接着力は、対ポリプロピレン板で測定した値が６．７Ｎ〜１１．３Ｎ／ｃｍの高粘着タイプのテープであることが好適であり、１１．３Ｎ／ｃｍ高粘着タイプのテープであることがより好ましい。第２のテープ１２の形状は、直径２ｍｍ〜１０ｍｍの円形であることが好適であり、直径７ｍｍの円形であることがより好ましいが、円形以外の形状、例えば、楕円形であってもよい。第２のテープ１４の色は、無色透明である。装飾片１５は、特殊なカット加工等が施された輝きを放つガラス装飾片を含んで構成されている。
【００１６】
金属プレート部１６は、適当な強度を有するプレートであり、例えば、銅と亜鉛との合金である真鍮を用いて構成することができる。金属プレート部１６の厚みは、０．４ｍｍ〜０．８ｍｍが好適であり、０．６ｍｍであることがより好ましい。金属プレートの形状は、直径２ｍｍ〜１０ｍｍの円形であることが好適であり、直径７ｍｍの円形であることがより好ましいが、円形以外の形状、例えば、楕円形であってもよい。金属プレート部１６の外周側には、直径１ｍｍ程度の貫通孔１７が形成されている。金属プレート部１６の色は、シルバーであるが、装飾部１８の色に合わせて変更することができ、例えば、ゴールドにすることも可能である。この場合、例えば、金メッキ塗装することで対応することができる。
【００１７】
装飾部１８は、金属プレート部１６の貫通孔１７に連結されるチェーン部２８と、チェーン部２８に取り付けられる装飾品３０とを備える。チェーン部２８は、例えば、シルバー等の材質で形成されたリング状のチェーンと該チェーンと装飾品３０とを連結する連結部材とを備えている。装飾品３０は、例えば、白色の真珠を加工して形成された部品を用いて構成することができるが、もちろん、その他の装飾品を用いることも可能である。
【００１８】
図２に示されるように、金属プレート部１６は、第１のテープ１２と第２のテープ１４の間に挟持されている。具体的には、金属プレート部１６の一方側の面が第１のテープ１２の面２２と接着される。そして、金属プレート部１６の他方側の面が第２のテープ１４の面２６と接着される。これにより、第１のテープ１２と第２のテープ１４と金属プレート部１６とが積層関係となっている。
【００１９】
続いて、上記耳朶用装飾具１０の作用効果について説明する。上述したように、耳朶に貼着される第１のテープ１２は、中粘着タイプのテープで構成されている。したがって、第１のテープ１２の面２０を耳朶に貼り付けた場合に、適度な粘着力で耳朶に着けられるため、ちょっとした衝撃で耳朶用装飾具１０が耳朶から剥がれ落ちることはない。これにより、粘着性が低いゲルフィルムを用いた場合と比べて、耳朶用装飾具１０をしっかりと耳朶に貼着することができるという効果がある。
【００２０】
また、第１のテープ１２が中粘着タイプのテープで構成されている他の利点は、耳朶用装飾具１０の使用後に耳朶から耳朶用装飾具１０を取り外す場合に、一方の手の指で耳朶を保持しつつ、他方の手の指で耳朶用装飾具１０を引っ張ることで容易に取り外すことができることである。これにより、高粘着性のテープを引き剥がすような痛みを伴うことなく、比較的に簡単に耳朶から耳朶用装飾具１０を取り外すことができる利点がある。
【００２１】
以上のように、耳朶用装飾具１０を用いることで、耳朶に貼り付けた場合に簡単に剥がれることなく、かつ、剥がす場合に痛みと伴うことはない。そして、耳朶用装飾具１０は、ピアスのように耳朶に穴をあける必要もないため、手軽におしゃれを楽しむことができるという効果がある。
【００２２】
さらに、装飾片１５が付着される第２のテープ１４は、高粘着タイプのテープで構成されている。このように、耳朶に貼り付ける必要のない第２のテープ１４を高粘着とすることで装飾片１５をしっかりと貼り付け固定できるというメリットがある。
【００２３】
また、耳朶用装飾具１０は、第１のテープ１２と第２のテープ１４の間に金属プレート部１６が挟持されているため、適当な強度を有することができる。したがって、装飾部１８の重量を大きくした場合にも耳朶用装飾具１０の形状を保つことができるという利点がある。また、金属プレート部１６の第１のテープ１２を張り替えることで、耳朶用装飾具１０の使用後に第１のテープ１２の粘着力が低下した場合に、第１のテープ１２のみを新しく取り換えることで耳朶用装飾具１０を繰り返し使用できるという効果がある。
【００２４】
次に、耳朶用装飾具１０の使用後に、第１のテープ１２の面２０の粘着力が低下した場合において、第１のテープ１２の取り換えについて説明する。図３は、耳朶用装飾具１０の第１のテープ１２について取り換え用シート３２を用いて取り換える様子を示す図である。
【００２５】
取り換え用シート３２には、１枚の剥離フィルム３４上に６つの取り換え用テープ３６が取り付けられている。
【００２６】
剥離フィルム３４は、ＰＥＴフィルムからなる基材の上にシリコーン系の剥離剤をコーティングして形成されている。剥離フィルム３４の色は、無色透明である。
【００２７】
取り換え用テープ３６は、取り換え用に形成された第１のテープ１２と剥離紙３８とを備える。図３に示されるように第１のテープ１２の面２０は、剥離フィルム３４に貼り付けられ、第１のテープ１２の面２２は、剥離紙３８に貼り付けられている。
【００２８】
剥離紙３８は、紙からなる基材の上にシリコーン系の剥離剤をコーティングする場合に剥離剤がしみ込まないようにポリエチレンからなる目止め層を介在させた上で剥離剤がコーティングされている。剥離紙３８の色は、白色である。剥離紙３８の形状は、直径２ｍｍ〜１０ｍｍの円形であることが好適であり、直径７ｍｍの円形であることがより好ましいが、第１のテープ１２の形状に応じ、円形以外の形状、例えば、楕円形であってもよい。
【００２９】
続いて、耳朶用装飾具１０の第１のテープ１２を取り換える場合の手順について、図３を用いて説明する。第１のテープ１２の粘着力が低下してくると、指の爪等を用いて金属プレート部１６から第１のテープ１２を取り外す。そして、取り換え用シート３２上の１つの取り換え用テープ３６の剥離紙３８を剥がす。
【００３０】
次に、第１のテープ１２が剥がされた金属プレート部１６と、剥離紙３８が剥がされた取り換え用テープ３６との位置合わせを行いつつ、金属プレート部１６を矢印Ａ方向に移動させながら両者を接着する。その接着後に一方の手の指で剥離フィルム３４を保持しつつ、もう一方の手で金属プレート部１６を矢印Ｂ方向に移動させて金属プレート部１６を取り外すことで、取り換え用テープ３６の第１のテープ１２を耳朶用装飾具１０側へ移すことができる。これにより、第１のテープ１２の取り換えを簡単に行うことが出来るという利点がある。
【００３１】
図４は、耳朶用装飾具１０の変形例である耳朶用装飾具１１の正面図である。図５は、耳朶用装飾具１１の側面図である。耳朶用装飾具１１は、第１のテープ４０と第２のテープ４２とを備える。
【００３２】
第１のテープ４０は、耳朶に貼着される面４４と、面４４の反対側の面４６とを備える。第１のテープ４０は、図４に示されるように、花びらのような形状を有している。第１のテープ４０は、第１のテープ１２と材質、粘着性、厚みが同一である。
【００３３】
第２のテープ４２は、装飾片５２が付着される面４８と反対側の面５０とを備える。第２のテープ４２は、図４に示されるように、花びらのような形状を有している。第２のテープ４２は、第２のテープ１４と材質、粘着性、厚みが同一である。装飾片５２は、特殊なカット加工等が施された輝きを放つガラス装飾片を含んで構成されている。
【００３４】
ここで、上述したように耳朶用装飾具１０では、金属プレート部１６が第１のテープ１２と第２のテープ１４の間に介在しているが、耳朶用装飾具１１では、第１のテープ４０の面４６と第２のテープ４２の面５０との間には、他の部材が介在することなく、両者が直接接着されている。
【００３５】
続いて、上記耳朶用装飾具１１の作用効果について説明する。耳朶用装飾具１１は、上述したように耳朶に貼着される第１のテープ４０は、耳朶用装飾具１０の第１テープ１２と同様に、中粘着タイプのテープで構成されている。したがって、耳朶用装飾具１０と同様に、第１のテープ４０の面４４を耳朶に貼り付けた場合に、適度な粘着力で耳朶に着けられるため、ちょっとした衝撃で剥がれることはないというメリットがある。また、耳朶用装飾具１０の使用後に耳朶から耳朶用装飾具１１を取り外す場合にも一方の手の指で耳朶を保持しつつ、他方の手の指で耳朶用装飾具１１を引っ張ることで容易に取り外すことができるという利点がある。
【００３６】
また、耳朶用装飾具１１を用いた場合、耳朶用装飾具１０のように金属プレート部１６を介さずに第１のテープ４０と第２のテープ４２とが直接接着されているため、適当な柔軟性を有し、形状を変形させることができる。これにより、耳朶用装飾具１１を耳朶の形状に沿って曲げて取り付けることでイヤーカフとしても用いることができる利点がある。また、耳朶用装飾具１１の第１のテープ４０の粘着力が低下した場合には、第１のテープ４０の面４４に二重まぶたを形成するために用いられる接着剤等を塗布することで繰り返し使用することができる。また、粘着力が低下した第１のテープ４０に、取り換え用の新しい第１のテープ４０を積層させることで繰り返し使用することも好適である。
【００３７】
なお、上記では、第１のテープ１２，４０、第２のテープ１４，４２、金属プレート部１６は、円形や楕円形であるとして説明したが、リング状の形状であってもよく、例えば、星型やハード型の環状を有するような形状とすることも可能である。
【符号の説明】
【００３８】
１０，１１  耳朶用装飾具、１２  テープ、１２，４０  第１のテープ、１４，４２  第２のテープ、１５  装飾片、１６  金属プレート部、１７  貫通孔、１８  装飾部、２０，２２，２４，２６  面、２８  チェーン部、３０  装飾品、３２  取り換え用シート、３４  剥離フィルム、３６  取り換え用テープ、３８  剥離紙、４４，４６，４８，５０  面、５２  装飾片。
【図１】
0003199149.tif 000003
【図２】
0003199149.tif 000004
【図３】
0003199149.tif 000005
【図４】
0003199149.tif 000006
【図５】
0003199149.tif 000007